(57)【要約】【課題】音洩れを防止し、音声を明瞭に聴き取れるようにする。【解決手段】一対の小型スピーカ１６，１６が、部品保持フレーム５１によって保持され、小型スピーカ１６で発生した音波が、ホーン部５３内を通過し、キーシート３３の開口３３ａを通過し、フロントケース２６の開口２６ｃから放射されるように構成され、ホーン部５３の先端部とキーシート３３とは、円環状突起部６１がキーシート３３の開口３３ａの裏面側の円環状突起部に食い込んで変形させることによって、また、キーシート３３とフロントケース２６とは、キーシート３３の開口３３ａの表面側の円環状突起部が、フロントケース２６の裏面によって押されて変形することによって、これらの接合部位での密閉性が保たれ、音洩れが防止される。【選択図】図１
2005328442.tif 000002
【特許請求の範囲】
【請求項１】
小型スピーカが携帯型電子機器の筐体内に実装された小型スピーカ実装構造であって、
前記小型スピーカが、保持基体に設けられたスピーカ収納部に収納され、該スピーカ収納部には、スピーカ音の出口となる第１の開口部が設けられ、
前記携帯型電子機器の筐体の前記第１の開口部と重なる位置には、前記スピーカ音の出口となる第２の開口部が設けられていることを特徴とする携帯型電子機器における小型スピーカ実装構造。
【請求項２】
前記スピーカ収納部の前記第１の開口部と、前記筐体の前記第２の開口部との間は、遮音壁によって音響的に密に接合されていることを特徴とする請求項１記載の携帯型電子機器における小型スピーカ実装構造。
【請求項３】
前記保持基体と、前記筐体の前記第２の開口部が形成された領域との間には、キーシートが介挿され、該キーシートの前記スピーカ収納部の前記第１の開口部と重なる位置には、前記スピーカ音の出口となる第３の開口部が設けられていることを特徴とする請求項１又は２記載の携帯型電子機器における小型スピーカ実装構造。
【請求項４】
前記第２の開口部は、前記筐体の一部を構成する操作パネル板に設けられ、前記スピーカ収納部の前記第１の開口部と、前記キーシートの前記第３の開口部との間は、遮音壁によって音響的に密に接合されていて、かつ、前記キーシートの前記第３の開口部と、前記操作パネル板の前記第２の開口部との間は、遮音壁によって音響的に密に接合されていることを特徴とする請求項３記載の携帯型電子機器における小型スピーカ実装構造。
【請求項５】
前記保持基体と前記キーシートとの間にはプリント基板が介挿され、該プリント基板の前記スピーカ収納部の前記第１の開口部と重なる位置には、前記スピーカ音の出口となる第４の開口部が設けられていることを特徴とする請求項３又は４記載の携帯型電子機器における小型スピーカ実装構造。
【請求項６】
前記スピーカ収納部の上部には、内壁が遮音壁として機能する中空部材が接合されていることを特徴とする請求項２乃至５のいずれか１に記載の携帯型電子機器における小型スピーカ実装構造。
【請求項７】
前記中空部材の先端面には環状突起部が形成され、前記保持基体と前記キーシートとが互いに押圧されることによって、前記第３の開口部の裏面側の縁部と、前記環状突起部とのうち少なくともいずれか一方が変形し、前記キーシートの前記第３の開口部の裏面側の縁部に前記環状突起部が略密着状態で接合していることを特徴とする請求項６記載の携帯型電子機器における小型スピーカ実装構造。
【請求項８】
前記中空部材は、前記第４の開口部を貫通していることを特徴とする請求項６又は７記載の携帯型電子機器における小型スピーカ実装構造。
【請求項９】
前記保持基体の裏面側には補助基板が配置され、前記小型スピーカは底部にばね性を有する接続端子を有し、
前記小型スピーカは、前記接続端子が弾性変形した状態で前記補助基板上の所定の部位に形成された接点に電気的に接続されるように前記補助基板上に配置されていることを特徴とする請求項１乃至８のいずれか１に記載の携帯型電子機器における小型スピーカ実装構造。
【請求項１０】
前記スピーカ収納部は、底面側に前記小型スピーカを着脱するための開口が形成され、上部には前記小型スピーカの上端部が押し当てられると共に前記第１の開口部が設けられた天井部が形成された凹部を有していることを特徴とする請求項１乃至９のいずれか１に記載の携帯型電子機器における小型スピーカ実装構造。
【請求項１１】
前記キーシートには各種の機能キーが取着され、前記操作パネル板には前記キーシートの各種の機能キーが嵌め込まれる各種の嵌合孔が設けられ、前記プリント基板には前記機能キーが押下されることによって開閉が行われるスイッチが設けられていることを特徴とする請求項５乃至１０のいずれか１に記載の携帯型電子機器における小型スピーカ実装構造。
【請求項１２】
請求項１乃至１１のいずれか１に記載の携帯型電子機器における小型スピーカ実装構造を備えたことを特徴とする携帯型電子機器。
【発明の詳細な説明】
【技術分野】
【０００１】
この発明は、携帯型電子機器における小型スピーカ実装構造及び該構造を備えた携帯型電子機器に係り、例えば、折畳み型の携帯電話機等の携帯型電子機器の操作面側から音声が放射されるように小型スピーカが配置された携帯型電子機器における小型スピーカ実装構造及び該構造を備えた携帯型電子機器に関する。
【背景技術】
【０００２】
従来より、携帯型の電子機器としての携帯電話機は、例えば、着信時に、リンガ発生部（音声出力部）からの着信音（呼出音）の出力や、着信通知ランプの点滅、バイブレータの振動等によって、着信したことをユーザに知らせるように構成されている。
例えば、折畳型の携帯電話機１０１には、図１４に示すように、筐体１０２の背面側（折畳時には外面側となる側）に、リンガ発生部を構成するスピーカ１０３が配置されている（例えば、、特許文献１参照。）。着信時には、このスピーカ１０３が着信音を発生し、ユーザがこれを聞くことによって着信を知り、この後、筐体１０２を開いて、所定の操作を行うこととなる。
【０００３】
ところで、携帯電話機１０１として、本来の通話機能のみならず、電子メールの送受信やインターネットに接続してホームページの閲覧が可能なデータ通信機能を有するものが普及している。
このような携帯電話機１０１において、例えば、サイトからダウンロードしたプログラムを実行して、ゲーム等を楽しむような場合に、筐体１０２を開いた状態で、主表示部の画面を見ながら、音声を聞くためには、背面側から音声が放射されると、ボリュームを上げたとしても、静寂な環境でなければ音量が不足してしまう。したがって、操作面側から音声を放射させる必要がある。
このために、筐体１０２を構成するフロントカバーや、キーボタンが載置されたキーシート、各種電子部品が搭載された基板に開口を設け、内部（キーシートや基板の裏面側）にスピーカが配置されていても、このスピーカで発生した音声を操作面側から放射させて、筐体１０２を開いた状態でも、操作面側から音声が聞こえるようにする技術が提案されている。
【特許文献１】特開２００１−２１１２４１号公報
【発明の開示】
【発明が解決しようとする課題】
【０００４】
解決しようとする問題点は、上記従来技術では、スピーカで発生した音波が、操作面側から放射されるまでに洩れてしまって、音量が低下してしまい、かつ、音声が不明瞭となる等音質も悪化してしまって、確実にかつ明瞭に聴き取れないという点である。
【０００５】
この発明は、上述の事情に鑑みてなされたもので、操作面側に音声を放射させる場合であっても、音洩れを防止して、音量の低下及び音質の悪化を防止して、音声を確実にかつ明瞭に聴き取るようにすることができる携帯型電子機器における小型スピーカ実装構造及び該構造を備えた携帯型電子機器を提供することを目的としている。
【課題を解決するための手段】
【０００６】
上記課題を解決するために、請求項１記載の発明は、小型スピーカが携帯型電子機器の筐体内に実装された小型スピーカ実装構造に係り、上記小型スピーカが、保持基体に設けられたスピーカ収納部に収納され、該スピーカ収納部には、スピーカ音の出口となる第１の開口部が設けられ、上記携帯型電子機器の筐体の上記第１の開口部と重なる位置には、上記スピーカ音の出口となる第２の開口部が設けられていることを特徴としている。
なお、この発明の特許請求の範囲及び明細書で、小型スピーカは、サウンダやブザーを含むものとする。
【０００７】
また、請求項２記載の発明は、請求項１記載の携帯型電子機器における小型スピーカ実装構造に係り、上記スピーカ収納部の上記第１の開口部と、上記筐体の上記第２の開口部との間は、遮音壁によって音響的に密に接合されていることを特徴としている。
【０００８】
また、請求項３記載の発明は、請求項１又は２記載の携帯型電子機器における小型スピーカ実装構造に係り、上記保持基体と、上記筐体の上記第２の開口部が形成された領域との間には、キーシートが介挿され、該キーシートの上記スピーカ収納部の上記第１の開口部と重なる位置には、上記スピーカ音の出口となる第３の開口部が設けられていることを特徴としている。
【０００９】
また、請求項４記載の発明は、請求項３記載の携帯型電子機器における小型スピーカ実装構造に係り、上記第２の開口部は、上記筐体の一部を構成する操作パネル板に設けられ、上記スピーカ収納部の上記第１の開口部と、上記キーシートの上記第３の開口部との間は、遮音壁によって音響的に密に接合されていて、かつ、上記キーシートの上記第３の開口部と、上記操作パネル板の上記第２の開口部との間は、遮音壁によって音響的に密に接合されていることを特徴としている。
【００１０】
また、請求項５記載の発明は、請求項３又は４記載の携帯型電子機器における小型スピーカ実装構造に係り、上記保持基体と上記キーシートとの間にはプリント基板が介挿され、該プリント基板の上記スピーカ収納部の上記第１の開口部と重なる位置には、上記スピーカ音の出口となる第４の開口部が設けられていることを特徴としている。
【００１１】
また、請求項６記載の発明は、請求項２乃至５のいずれか１に記載の携帯型電子機器における小型スピーカ実装構造に係り、上記スピーカ収納部の上部には、内壁が遮音壁として機能する中空部材が接合されていることを特徴としている。
【００１２】
また、請求項７記載の発明は、請求項６記載の携帯型電子機器における小型スピーカ実装構造に係り、上記中空部材の先端面には環状突起部が形成され、上記保持基体と上記キーシートとが互いに押圧されることによって、上記第３の開口部の裏面側の縁部と、上記環状突起部とのうち少なくともいずれか一方が変形し、上記キーシートの上記第３の開口部の裏面側の縁部に上記環状突起部が略密着状態で接合していることを特徴としている。
【００１３】
また、請求項８記載の発明は、請求項６又は７記載の携帯型電子機器における小型スピーカ実装構造に係り、上記中空部材は、上記第４の開口部を貫通していることを特徴としている。
【００１４】
また、請求項９記載の発明は、請求項１乃至８のいずれか１に記載の携帯型電子機器における小型スピーカ実装構造に係り、上記保持基体の裏面側には補助基板が配置され、上記小型スピーカは底部にばね性を有する接続端子を有し、上記小型スピーカは、上記接続端子が弾性変形した状態で上記補助基板上の所定の部位に形成された接点に電気的に接続されるように上記補助基板上に配置されていることを特徴としている。
【００１５】
また、請求項１０記載の発明は、請求項１乃至９のいずれか１に記載の携帯型電子機器における小型スピーカ実装構造に係り、上記スピーカ収納部は、底面側に上記小型スピーカを着脱するための開口が形成され、上部には上記小型スピーカの上端部が押し当てられると共に上記第１の開口部が設けられた天井部が形成された凹部を有していることを特徴としている。
【００１６】
また、請求項１１記載の発明は、請求項５乃至１０のいずれか１に記載の携帯型電子機器における小型スピーカ実装構造に係り、上記キーシートには各種の機能キーが取着され、上記操作パネル板には上記キーシートの各種の機能キーが嵌め込まれる各種の嵌合孔が設けられ、上記プリント基板には上記機能キーが押下されることによって開閉が行われるスイッチが設けられていることを特徴としている。
【００１７】
また、請求項１２記載の発明に係る携帯型電子機器は、請求項１乃至１１のいずれか１に記載の携帯型電子機器における小型スピーカ実装構造を備えたことを特徴としている。
【発明の効果】
【００１８】
この発明の構成によれば、小型スピーカから出力されたスピーカ音を、第１の開口部を経て、筐体に設けられた第２の開口部から放射させるので、例えば、操作パネル側に音声を放射させる場合であっても、途中での音洩れを防止して、音量の低下及び音質の悪化を防止して、音声を確実にかつ明瞭に聴き取れるようにすることができる。
また、スピーカ収納部の第１の開口部と、キーシートの第３の開口部との間を、遮音壁によって音響的に密に接合し、かつ、キーシートの第３の開口部と、筐体の第２の開口部との間を、遮音壁によって音響的に密に接合することによって、一段と確実に音洩れを防止することができる。
【発明を実施するための最良の形態】
【００１９】
小型スピーカから出力されたスピーカ音を、第１の開口部を経て、筐体に設けられた第２の開口部から放射させることによって、例えば、操作パネル側に音声を放射させる場合であっても、途中での音洩れを防止して、音量の低下及び音質の悪化を防止して、音声を確実にかつ明瞭に聴き取れるようにするという目的を実現した。
【実施例】
【００２０】
図１は、この発明の一実施例である携帯電話機の下側ユニットを分解して上方側から見た図であって、同下側ユニットの構成を示す分解斜視図、図２は、同携帯電話機の構成を示す斜視図、図３は、同携帯電話機の構成を示すブロック図、図４は、同下側ユニットを分解して下方側から見た図であって、同下側ユニットの構成を示す分解斜視図、図５は、同下側ユニットの部品保持フレームの構成を示す平面図、図６は、同部品保持フレームの構成を示す下面図、図７は、同部品保持フレームの構成を示す正面図、図８は、同部品保持フレームの構成を示す背面図、図９は、同部品保持フレームの構成を示す左側面図、図１０は、同部品保持フレームの構成を示す右側面図、図１１は、図２のＡ−Ａ線に沿った断面図、図１２は、図１１のＢ部を拡大して示す拡大図、また、図１３は、同携帯電話機の組立方法を説明するための説明図である。
【００２１】
この例の携帯電話機１は、折畳可能な筐体を備えると共に、本来の通話機能のほか、例えば電子メールの送受信やインターネットに接続してホームページの閲覧が可能なデータ通信機能を有し、図２に示すように、上側ユニット２と下側ユニット３とが、折畳可能なようにヒンジ部４で相互に結合されて構成されている。
上側ユニット２は、図２及び図３に示すように、折畳可能な扁平な筐体５を構成する上側筐体６に、液晶表示装置からなり例えば機能設定画面や待受画面等が表示される主表示部７と、背面側に配置され液晶表示装置からなり例えば文字メッセージ等が表示される補助表示部８と、受話音声出力用スピーカを有してなる受話部９と、ＬＥＤを有し例えば着信時や通話時に発光する発光部１１とが実装されて概略構成されている。
【００２２】
下側ユニット３は、図１乃至図４に示すように、折畳可能な扁平な筐体５を構成する下側筐体１２に、当該携帯電話機本体の構成各部を制御する制御部１３と、制御部１３が実行する処理プログラムや各種データ等を記憶するための記憶部１４と、数字や文字の入力操作等を行うための多数の各種操作キー等からなる操作部１５と、例えば着信時に着信音を発生する小型スピーカ１６，１６を有してなる音声出力部１７と、アンテナ１８を介して無線電波の送受信を行い、所定のプロトコルに従って通話やデータ通信を行うために用いられる無線通信部１９と、送話音声入力用マイクロフォンを有してなる送話部２１と、振動によって例えば着信を通知するための振動部２２と、バッテリパックを有してなる電源部２３とが実装されて概略構成されている。
【００２３】
なお、上記筐体５は、ヒンジ部４で相互に結合された上側筐体６と下側筐体１２とからなり、ヒンジ部４は、上側筐体６と下側筐体１２とを回転自在に結合して当該携帯電話機１に折畳可能な構造を付与している。
また、制御部１３、記憶部１４及び無線通信部１９等を構成する各種電子部品は、主基板２４及び補助基板２５上に配置され、主基板２４及び補助基板２５等は、下側筐体１２を構成するフロントケース２６とリアカバー２７とによって、上下方向から押さえられるようにして、下側筐体１２内に格納される（図１１参照）。
【００２４】
主表示部７は、上側筐体６の内側の面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部８は、上側筐体の外側の面の中央部に配設され、例えば透過型の液晶表示パネルを有してなり、現在時刻や着信通知等の表示がなされる。
【００２５】
制御部１３は、共にＣＰＵ（中央処理装置）等からなり、記憶部１４に記憶された各種処理プログラムを実行し、記憶部１４に確保された各種レジスタやフラグを用いて、構成各部を制御し各種制御処理を実行する。
記憶部１４は、ＲＯＭ、ＲＡＭ等の半導体メモリからなり、制御部１３が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部１４には、制御部１３がプログラム実行時に用いる各種レジスタやフラグが確保されている。
【００２６】
操作部１５は、図１、図４、及び図１１に示すように、下側筐体１２に実装され、例えば合成樹脂製の多数のキーボタン３１，３１，…が、例えば合成ゴム製の弾性体からなるシート部材３２上の所定の位置に接着されてなるキーシート３３がドーム状に突起しスイッチ３４を構成する金属板接点３５が絶縁性シートの裏面側に設けられてなるメタルドームシート３７を介して、各種電子部品が搭載された主基板２４上に配置されて構成されている。
また、各キーボタン３１は、扁平な柱状の本体部３８と、本体部３８の下部の周縁に設けられ鍔状に突起したフランジ部３９とを有し、フランジ部３９の上面（表面）は、非押下状態で、フロントケース２６の開口２６ａの縁部の裏面側に形成された接触面（裏面）に接触している。
【００２７】
シート部材３２は、各キーボタン３１をその上面に載置するボタン載置部４１と、各ボタン載置部４１の裏面の中央部に形成されスイッチを押下するためのスイッチ作動用突起部４２と、当該シート部材３２の周縁部に、キーボタン３１，３１，…の配置領域を囲むように設けられ，シート部材本体と主基板２４との間の離隔を保つと共に防水機能を担う周縁シール部４３とを有している。
【００２８】
なお、上記キーボタン３１，３１，…は、ブラウザを起動させてホームページを閲覧するためのブラウザモード選択キーボタン、操作を決定するために用いられる決定キーボタン、操作メニューを表示させるためのメニューキーボタン、文字入力モードを切り換えるためのモード切替えキーボタン、電話帳を登録したり検索するための電話帳キーボタン、音声通話を行うために用いる通話開始キーボタン、操作を１つ前の状態へ戻すクリアキーボタン、及び電源の入切りを行った各種操作を中止するために用いられる電源キーボタンを含む機能キーボタン群と、主表示部７に表示された表示画面上のカーソルを上下左右方向へ移動させるためのカーソルキーボタンと、例えば数字等を入力するためのテンキーボタン群とを含んでいる。
【００２９】
音声出力部１７は、図１、図４、図５乃至図１０に示すように、一対の小型スピーカ１６，１６が、例えばＡＢＳ（Acrylnitrile-Butadiene-Styrene）等の樹脂成型品からなる部品保持フレーム５１によって保持され、かつ、補助基板２５上の所定の部位に配置され、小型スピーカ１６で発生した音波が、主基板２４及び操作部１５を構成するキーシート３３を突き抜けフロントケース２６の操作面側に形成された開口２６ｃから放射されるように構成されている。
部品保持フレーム５１は、小型スピーカ１６を格納するスピーカ格納部５２と、スピーカ格納部５２の上部（操作面側）に形成され小型スピーカ１６から放射された音波を操作面側に通過させるための略円筒形状の中空部材からなるホーン部５３とを有している。
【００３０】
スピーカ格納部５２は、図５乃至図１０に示すように、小型スピーカ１６，１６の寸法形状と略同一の寸法形状の一対の凹部５４，５４を有し、各凹部５４の上部には、中央部に開口５５ａが形成された天井部５５が設けられ、各凹部５４の下部の縁部には、小型スピーカ１６を固定するための一対の爪部５６ａ，５６ｂが設けられている。
なお、部品保持フレーム５１は、主基板２４と補助基板２５とを補強しつつ機械的に接合するための機能も有している。また、部品保持フレーム５１には、振動部２２を構成するバイブレータも実装される。
【００３１】
各小型スピーカ１６は、上部に円環状の弾性部材５７が取り付けられ、円形の網状部材５８を介して天井部５５に押し付けられた状態でスピーカ格納部５２内に固定されて収納されると共に、底部にはばね性を有する一対の接続端子５９，５９を有し、これらの接続端子５９，５９が弾性変形した状態で補助基板２５上の所定の部位に形成された接点に電気的に接続されて補助基板２５上に配置されている。
また、ホーン部５３の先端部（開口の縁部）には、図１１及び図１２に示すように、断面略三角形の円環状突起部６１が形成され、この円環状突起部６１がキーシート３３に形成された開口３３ａの縁部に当接し、キーシート３３の当接部位を変形させることによって、密閉性が保たれ音洩れが防止される。
【００３２】
また、主基板２４の所定の部位には、ホーン部５３を貫通させるための開口２４ａが形成されている。
また、キーシート３３の所定の部位には、小型スピーカ１６から通過してきた音波を放射させるための開口３３ａが形成され、開口３３ａの裏面側及び表面側の縁部には、それぞれ、円環状突起部３３ｂ，３３ｃが形成されている。
また、フロントケース２６の開口２６ｃの裏面側には、塵埃や水滴の侵入を防止するための比較的目の細かいメッシュ状部材６２が貼り付けられている。
【００３３】
この例の小型スピーカ実装構造２０は、図２、図４、図１１及び図１２に示すように、一対の小型スピーカ１６，１６が、部品保持フレーム５１によって保持され、かつ、補助基板２５上の所定の部位に配置され、小型スピーカ１６で発生した音波が、主基板２４の開口２４ａを貫通するホーン部５３内を通過し、キーシート３３の開口３３ａを通過し、フロントケース２６の操作面側に形成された開口２６ｃから放射されるように構成され、ホーン部５３の先端部と開口３３ａの裏面側の縁部とは円環状突起部６１がキーシート３３の円環状突起部３３ｂに食い込んで変形させることによって、また、キーシート３３の開口３３ａの表面側の縁部とフロントケース２６の開口２６ｃの裏面側の縁部とは、キーシート３３の円環状突起部３３ｃが、フロントケース２６の裏面によって押されて変形することによって、これらの接合部位での密閉性が保たれ、音洩れが防止されると共に、例えばホーン部５３内への塵埃や水滴の侵入が防止される。
【００３４】
無線通信部１８は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
【００３５】
この例の携帯電話機１を組み立てるには、まず、小型スピーカ１６，１６をスピーカ格納部５２，５２に格納しておく。すなわち、爪部５６ａ，５６ｂを外側にやや拡開しながら、各小型スピーカ１６を凹部５４内に固定する。
次に、図１３（ａ）に示すように、フロントケース２６に、各開口２６ａからキーボタン３１が露出するように、シート部材３２の各ボタン載置部４１上にキーボタン３１が配置されたキーシート３３を組み込む。
次に、絶縁性シートの裏面に金属板接点３５が設けれられてなるメタルドームシート３７を介して、各種電子部品が搭載された主基板２４を、キーシート３３の裏面側からフロントケース２６に組み付ける。
ここで、キーシート３３は、主基板２４に対して、絶縁性シートを介して、周縁シール部４３等を押し当てた状態で配置される。
【００３６】
次に、小型スピーカ１６，１６が保持された部品保持フレーム５１を、同図に示すように、ホーン部５３が開口２４ａを貫通するように主基板２４の裏面側からフロントケース２６に組み付ける。
次に、フロントケース２６に、補助基板２５を部品保持フレーム５１の裏側から、接続端子５９，５９が対応する接点に接触するように組み付ける。
次に、フロントケース２６と、リアカバー２７とを嵌合することによって、又は雌ねじや雄ねじ等の固定具による締付けによって、図１３（ｂ）に示すように、部品保持フレーム５１は、キーシート３３側に押され、かつ、補助基板２５は、部品保持フレーム５１側に押される。
【００３７】
これによって、ホーン部５３の先端部と開口３３ａの裏面側の縁部とは円環状突起部６１がキーシート３３の円環状突起部３３ｂに食い込んで変形し、また、キーシート３３の開口３３ａの表面側の縁部とフロントケース２６の開口２６ｃの裏面側の縁部とは、キーシート３３の円環状突起部３３ｃが、フロントケース２６の裏面によって押されて変形し、これらの接合部位での密閉性が保たれ、音洩れが防止されると共に、例えばホーン部５３内への塵埃や水滴の侵入が防止される。
また、各小型スピーカ１６の底部に設けられたばね性を有する一対の接続端子５９，５９が弾性変形した状態で補助基板２５上の所定の部位に形成された接点に電気的に接続されて補助基板２５上に配置され、確実に電気的接続が図られる。
【００３８】
こうして組み立てられた携帯電話機１において、筐体を開いた状態で、例えば着信があると、制御部１３は、小型スピーカ１６，１６に所定の信号を与えるように制御し、これによって、小型スピーカ１６，１６は、所定の着信音を発生する。
この着信音は、主基板２４の開口２４ａを貫通するホーン部５３内を通過し、キーシート３３の開口３３ａを通過し、フロントケース２６の操作面側に形成された開口２６ｃから放射される。
また、例えば、サイトからダウンロードしたプログラムを実行する場合に、筐体を開いた状態で、画像が主表示部７に表示されると共に、小型スピーカ１６，１６から出力された音声は開口２６ｃから放射される。
【００３９】
ここで、ホーン部５３の先端部と開口３３ａの裏面側の縁部とは円環状突起部６１がキーシート３３の円環状突起部３３ｂに食い込んで変形し、また、キーシート３３の開口３３ａの表面側の縁部とフロントケース２６の開口２６ｃの裏面側の縁部とは、キーシート３３の円環状突起部３３ｃが、フロントケース２６の裏面によって押されて変形しているため、これらの接合部位での密閉性が保たれ、音洩れが防止され、途中で音波が放散しないので、開口２６ｃからは、ユーザは、適切な音量で明瞭な着信音等を聞くことができる。
【００４０】
このように、この例の構成によれば、操作面側に音声を放射させる場合であっても、小型スピーカ１６で発生した音波がホーン部５３内を通過して、フロントケース２６の開口２６ａから放射されると共に、ホーン部５３の先端部と開口３３ａの裏面側の縁部とは円環状突起部６１がキーシート３３の円環状突起部３３ｂに食い込んで変形し、また、キーシート３３の開口３３ａの表面側の縁部とフロントケース２６の開口２６ｃの裏面側の縁部とは、キーシート３３の円環状突起部３３ｃが、フロントケース２６の裏面によって押されて変形するので、これらの接合部位での密閉性が保たれるため、途中で音波が放散せず、音洩れを防止することができ、ユーザは音声を適切な音量で明瞭に聞き取ることができる。
【００４１】
また、ばね性を有する接続端子５９，５９によって電気的接続が確実になされると共に、小型スピーカ本体を天井部５５に側に押し上げることによって、密閉性の確保に寄与し、音洩れを一段と確実に防止することができる。
また、ばね性を有する接続端子５９，５９が補助基板２５をリアカバー２７側に押し付けることによって、補助基板２５及び部品保持フレーム５１を確実に固定することに寄与することができる。
また、例えば、ホーン部５３とキーシート３３との間の接合部位での密閉性を高めることによって、塵埃や水滴等の内部への侵入を防止することができる。
また、上記接合部位等で密着状態で接合することによって、振動部２２の動作に伴うびりつき音の発生も防止することができる。
【００４２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、密閉用の円環状突起部６１を１重設けた場合について述べたが、２重以上設けても良い。また、円環状突起部の断面形状は、三角形に限らず例えば半円形等であっても良い。
また、上述した小型スピーカ１６を２個設ける場合に限らず、１個でも３個以上設ける場合にも適用することができる。
また、電子カメラユニットを付加して、撮影機能や、テレビ電話機能を持たせるようにしても良い。この場合、小型スピーカから受話音声の出力も可能なように構成しても良い。
また、小型スピーカから撮影時に擬似シャッタ音を発生させるようにしても良い。また、小型スピーカ１６を部品保持フレーム５１に取り付ける場合に限らず、例えば主基板２４に取り付けるようにしても良い。
【００４３】
また、上述した実施例では、ホーン部５３の先端部（開口の縁部）に設けた円環状突起部６１を比較的硬質の材料を用いて構成して、キーシート３３を変形させる場合について述べたが、円環状突起部の方をより変形させるようにしても良い。
また、ホーン部５３の先端部をキーシート３３の裏面に押し付ける場合について述べたが、ホーン部をキーシートも貫通させ、その先端の円環状突起部をフロントケースの裏面に押し付けるようにしても良い。ここで、円環状突起部の材料としては、例えば合成ゴム等の容易に変形する材料を用いるか、例えば合成ゴム製の円環状部材を介してフロントケースの裏面に押し当てるようにすれば良い。
【００４４】
また、ホーン部として、円筒形状の中空部材を用いる場合について述べたが、入射側及び出射側の端面の断面積が略等しい場合に限らず、両端面の断面積が異なるようにホーン部の断面積を連続的に変化させるようにしても良いし、中間部で湾曲させるようにしても良い。
また、小型スピーカを下側筐体の操作パネルの裏面側の主基板と補助基板との間に配置した保持フレームに保持させる場合について述べたが、主基板や補助基板に保持基体としての機能を兼ねさせて、小型スピーカを主基板や補助基板に取り付けても良い。また、リアカバーと保持基体とを一体的に成形して、小型スピーカを筐体のリアカバーの裏面側に取り付けるようにしても良い。
【００４５】
また、小型スピーカを下側筐体（送話部を設けた側）に配置する場合について述べたが、これに限らず、上側筐体（受話部を設けた側）に配置しても良い。小型スピーカを、例えば上側筐体の表示部の裏面側に設けて、正面側から音声を放射させるように構成しても良い。
表示部が、フロントケースの裏面側に液晶パネル、板状又はシート状の光学部材群（バックライト装置を構成するプリズムシート、拡散シート、導光板及び反射シート等）、液晶パネルや光学部材群を保持する表示部材保持フレーム、及び配線基板がこの順に配設されて概略構成されている場合、小型スピーカを保持するスピーカ保持フレームを配線基板の背面側に配設しても良いし、配線基板と表示部材保持フレームとの間に配設しても良いし、表示部材保持フレームの正面側に配設しても良い。
【００４６】
また、スピーカ保持フレームを、液晶パネルや光学部材群、表示部材保持フレーム、配線基板と略同一の配設層に（液晶パネルや光学部材群、表示部材保持フレーム、配線基板の周縁の側部に）配設しても良い。また、スピーカ保持フレームを廃して、表示部材保持フレームがスピーカ保持フレームを兼ねていても良いし、小型スピーカを配線基板や補助基板に取り付けても良い。
ここで、配線基板としては、表示部専用の基板であっても、他の機能ユニットを構成する電子部品が搭載された基板であっても良い。また、上側筐体のリアカバーと保持基体とを一体的に成形して、小型スピーカをリアカバーの裏面側に直接取り付けるようにしても良い。
また、配線基板が、表示部材保持フレームのリアカバー側（背面側）に設けられた場合に限らず、表示部材保持フレームの液晶パネル側（正面側）に設けられた場合にも適用できる。
また、操作部においては、必ずしも、シート部材上にキーボタンを載置した構成としなくても良く、例えば、弾性変形可能なスカート部と一体化されたキートップが基板上に複数載置されていても良い。
【産業上の利用可能性】
【００４７】
携帯型電子機器としては、携帯電話機のほか、簡易型携帯電話（ＰＨＳ）端末や、携帯情報端末（ＰＤＡ）、携帯型のコンピュータに対して適用できる。
【図面の簡単な説明】
【００４８】
【図１】この発明の一実施例である携帯電話機の下側ユニットを分解して上方側から見た図であって、同下側ユニットの構成を示す分解斜視図である。
【図２】同携帯電話機の構成を示す斜視図である。
【図３】同携帯電話機の構成を示すブロック図である。
【図４】同下側ユニットを分解して下方側から見た図であって、同下側ユニットの構成を示す分解斜視図である。
【図５】同下側ユニットの部品保持フレームの構成を示す平面図である。
【図６】同部品保持フレームの構成を示す下面図である。
【図７】同部品保持フレームの構成を示す正面図である。
【図８】同部品保持フレームの構成を示す背面図である。
【図９】同部品保持フレームの構成を示す左側面図である。
【図１０】同部品保持フレームの構成を示す右側面図である。
【図１１】図２のＡ−Ａ線に沿った断面図である。
【図１２】図１１のＢ部を拡大して示す拡大図である。
【図１３】同携帯電話機の組立方法を説明するための説明図である。
【図１４】従来技術を説明するための説明図である。
【符号の説明】
【００４９】
１      携帯電話機（携帯型電子機器）
２      上側ユニット
３      下側ユニット
５      筐体
６      上側筐体
１２      下側筐体
１５      操作部
１６      小型スピーカ
１７      音声出力部
２０      小型スピーカ実装構造
２４      主基板（プリント基板）
２４ａ        開口（第４の開口部）
２５      補助基板
２６      フロントケース（操作パネル板）
２６ａ      開口（嵌合孔）
２６ｃ      開口（第２の開口部）
３１      キーボタン（機能キー）
３３      キーシート
３３ａ      開口（第３の開口部）
５１      部品保持フレーム（保持基体）
５２      スピーカ格納部
５３      ホーン部（中空部材）
５５      天井部
５５ａ      開口（第１の開口部）
５９      接続端子
６１      円環状突起部（環状突起部）
【図１】
2005328442.tif 000003
【図２】
2005328442.tif 000004
【図３】
2005328442.tif 000005
【図４】
2005328442.tif 000006
【図５】
2005328442.tif 000007
【図６】
2005328442.tif 000008
【図７】
2005328442.tif 000009
【図８】
2005328442.tif 000010
【図９】
2005328442.tif 000011
【図１０】
2005328442.tif 000012
【図１１】
2005328442.tif 000013
【図１２】
2005328442.tif 000014
【図１３】
2005328442.tif 000015
【図１４】
2005328442.tif 000016